(57)【特許請求の範囲】
【請求項１】
天井部と左右側壁部と後壁部と底部とにより収容部を形成し、後壁部に対向する前面側部分に開口部が形成されている厨子本体と、
前記厨子本体の開口部を開放閉塞する上下開閉戸と、
を備え、
前記厨子本体は、前記上下開閉戸が上下方向に移動可能な開閉戸ガイド部を有しており、
前記厨子本体は、後壁部を左右側壁部の後端より前方に設け、後壁部の後方に前記上下開閉戸が上下方向に移動可能な後部開閉戸ガイド部を有していることを特徴とする厨子
【請求項２】
請求項１に記載の厨子において、
前記後部開閉戸ガイド部は、前記上下開閉戸の左右端部の凸部をガイドする溝部を有していることを特徴とする厨子。
【発明の詳細な説明】
【技術分野】
【０００１】
本発明は、省スペース化が可能な厨子に関する。
【背景技術】
【０００２】
厨子は、位牌や仏像などを収容して安置する小型のものであり、一般には、両開きの扉が正面に設けられている。近年、厨子は、厳粛感を有しつつ現実の生活様式に調和した小型の仏壇として使われることも多くなっている。
【０００３】
これまでに、種々の形態の厨子（或いは小型仏壇）が提案されており、その中には扉に特徴のあるものも有る。例えば、特許文献１には、両開きの扉を開いたときに扉を収容室の外側へ円滑に収納できるようにして、仏壇幅（横幅）を狭くし得る小型の仏壇が記載されている。特許文献２には、片開きの扉が設けられ、二つ折りの本尊を収容して安置する小型仏壇が記載されている。
【先行技術文献】
【特許文献】
【０００４】
【特許文献１】特開平０５−０００１１８号公報
【特許文献２】特開２００４−１１３７４２号公報
【発明の概要】
【発明が解決しようとする課題】
【０００５】
しかしながら、特許文献１に記載のものは、収容室の外側に扉を収納する構造であるために、実際は、横幅を狭くするには限界がある。また、この小さな扉は折り曲げられる複雑な構造のものでなければならず、耐久性が低くなり易い。特許文献２に記載のものは、扉を開いたときに、横幅が広くなり、しかも、左右対称ではなくなるので、見る人によっては厳粛感が少ないと感じられることもあり得る。
【０００６】
本発明は、係る事由に鑑みてなされたものであり、その目的は、省スペース化が可能であり、簡素な構造でありながら厳粛感を損なわない厨子を提供することにある。
【課題を解決するための手段】
【０００７】
上記目的を達成するために、請求項１に記載の厨子は、天井部と左右側壁部と後壁部と底部とにより収容部を形成し、後壁部に対向する前面側部分に開口部が形成されている厨子本体と、前記厨子本体の開口部を開放閉塞する上下開閉戸と、を備え、前記厨子本体は、前記上下開閉戸が上下方向に移動可能な開閉戸ガイド部を有しており、前記厨子本体は、後壁部を左右側壁部の後端より前方に設け、後壁部の後方に前記上下開閉戸が上下方向に移動可能な後部開閉戸ガイド部を有していることを特徴とする。
【０００８】
請求項２に記載の厨子は、請求項１に記載の厨子において、前記後部開閉戸ガイド部は、前記上下開閉戸の左右端部の凸部をガイドする溝部を有していることを特徴とする。
【発明の効果】
【０００９】
本発明の厨子によれば、厨子本体の開口部の開閉を上下開閉戸の取り出しと嵌め入れによって行うので、従来のような両開きの扉や片開きの扉のように横方向に余分なスペースを必要としないために省スペース化が可能であり、しかも、簡素な構造でありながら厳粛感を損なわないようにすることが可能になる。
【図面の簡単な説明】
【００１０】
【図１】本発明の実施形態に係る厨子の開口部を開放した状態を示す斜視図であって、（ａ）が正面側、（ｂ）が背面側を示している。
【図２】同上の厨子の開口部を開放した状態を示すものであって、（ａ）が正面図、（ｂ）が背面図である。
【図３】同上の厨子の開口部を開放した状態を示すものであって、（ａ）が平面図、（ｂ）が図２のＡ−Ａ面で切断したときの平面視断面図である。
【図４】同上の厨子の開口部を閉塞した状態を示す斜視図であって、（ａ）が正面側、（ｂ）が背面側を示している。
【図５】同上の厨子の開口部を閉塞した状態を示すものであって、（ａ）が正面図、（ｂ）が背面図である。
【図６】同上の厨子の開口部を閉塞した状態を示すものであって、（ａ）が平面図、（ｂ）が図５のＡ−Ａ面で切断したときの平面視断面図である。
【図７】同上の厨子に位牌を安置した例を示すものであって、（ａ）が正面図、（ｂ）が背面図である。
【図８】同上の厨子の上下開閉戸を示すものであって、（ａ）が平面図、（ｂ）が正面図である。
【発明を実施するための形態】
【００１１】
以下、本発明を実施するための好ましい形態を図面を参照しながら説明する。本発明の実施形態に係る厨子１は、厨子本体２と上下開閉戸３を備えてなり、上下開閉戸３を厨子本体２から取り出したり嵌め入れたりすることにより、図１〜図３に示すように、厨子本体２の開口部２ａを開放した状態と、図４〜６に示すように、厨子本体２の開口部２ａを閉塞した状態にすることが可能である。厨子本体２と上下開閉戸３は、材料が限定されることはないが、典型的にはともに木製である。
【００１２】
厨子本体２は、天井部２１と左右側壁部（左側壁部と右側壁部）２２、２３と後壁部２４と底部２５とにより、その内部に収容部Ｓを形成し、後壁部２４に対向する前面側部分に開口部２ａが形成されている。この収容部Ｓには、図７に示すように、位牌や仏像などが収容されて安置される。また、厨子本体２は、上下開閉戸３を上下方向に移動可能にする開閉戸ガイド部２ｂを開口部２ａの周縁部に有している。また、底部２５には、厨子１を安定して据えられるように、例えば４個の脚部を有した台座部２５ａが設けられている。
【００１３】
上下開閉戸３は、厨子本体２の開口部２ａを開放閉塞する部材である。具体的には、図８に示すように、開口部２ａに略対応した平板状をなし、左右端部に平面視で四角形でもって横幅方向（左右方向）に僅かに突出した凸部３ａ、３ａを有している。この上下開閉戸３は、凸部３ａ以外は特に制約されずに、その前面の表面には比較的広い面積を用いて、現実の生活様式に調和しつつ厳粛感を損なわない自由な模様を施すことが可能である。
【００１４】
厨子本体２は、前述した開閉戸ガイド部２ｂとして、上下開閉戸３の凸部３ａ、３ａをガイドする溝部を、左右側壁部２２、２３の前端部分に形成してある。
【００１５】
この厨子本体２は、更に、後壁部２４を左右側壁部２２、２３の後端より少し前方に設け、後壁部２４の後方に上下開閉戸３が上下方向に移動可能な後部開閉戸ガイド部２ｃをも形成してある。この後部開閉戸ガイド部２ｃも、上下開閉戸３の左右端部の凸部３ａをガイドする溝部としている。従って、上下開閉戸３を上方にスライドさせ、上下開閉戸３を開閉戸ガイド部２ｂから取り出すと、図１（ａ）、図２（ａ）、図３（ａ）、図３（ｂ）に示すように、開口部２ａを開放する。そして、取り出した上下開閉戸３は、図１（ｂ）、図２（ｂ）、図３（ａ）、図３（ｂ）に示すように、後部開閉戸ガイド部２ｃに、その表面が後方（外方）になるようにスライドさせながら嵌め入れる。
【００１６】
このように、厨子１は、厨子本体２と上下開閉戸３を備え、厨子本体２の開口部２ａの開閉を上下開閉戸３の取り出しと嵌め入れによって行うので、従来のような両開きの扉や片開きの扉のように横方向に余分なスペースを必要としない。そのため、省スペース化が可能である。また、上下開閉戸３を含めて厨子１全体は簡素な構造であるために、耐久性が高い。また、開口部２ａを開放及び閉塞した状態ともに正面視の外観を略左右対称にすることができ、簡素な構造でありながら厳粛感を損なわないようにすることが可能になる。
【００１７】
また、後壁部２４の後方に設けた後部開閉戸ガイド部２ｃに上下開閉戸３を嵌め入れることによって、開口部２ａを開放した状態においては、上下開閉戸３が落下等の事故によって損傷を受けるのを防止することができる。また、そのとき、厨子１の後部の外観が開口部２ａを閉塞したときの厨子１の前部の外観と同様となるので、後部が見えた場合でも、厳粛感を損なわないようにできる。
【００１８】
以上、本発明の実施形態に係る厨子について説明したが、本発明は、上述の実施形態に記載したものに限られることなく、特許請求の範囲に記載した事項の範囲内でのさまざまな設計変更が可能である。例えば、上記のように厨子本体２側に開閉戸ガイド部２ｂとして溝部及び後部開閉戸ガイド部２ｃとして溝部を、上下開閉戸３側に凸部３ａをそれぞれ形成するのと逆に、厨子本体２側に開閉戸ガイド部２ｂとして凸部及び後部開閉戸ガイド部２ｃとして凸部を、上下開閉戸３側に溝部をそれぞれ形成してもよい。この場合、上下開閉戸３を取り出して開口部２ａを開放した状態において、厨子本体２側に開閉戸ガイド部２ｂの凸部が観察され易いので美感の点を工夫するのが望ましい。
【００１９】
また、厨子１を移動させる場合に、収容部Ｓに安置した位牌や仏像などが位置ずれしたり傾いたりしないように、底部２５の収容部Ｓに面した（或いはその近傍の）箇所、及び位牌や仏像などの下面側の（或いはその近傍の）箇所、のいずれか一方に磁石を設け、他方に磁石又は磁性体を設けるようにすることも可能である。
【符号の説明】
【００２０】
１    厨子
２    厨子本体
２１  天井部
２２  左側壁部
２３  右側壁部
２４  後壁部
２５  底部
２ａ  厨子本体の開口部
２ｂ  開閉戸ガイド部（溝部）
２ｃ  後部開閉戸ガイド部（溝部）
３    上下開閉戸
３ａ  上下開閉戸の凸部
Ｓ    収容部
【図１】
0005839540.tif 000002
【図２】
0005839540.tif 000003
【図３】
0005839540.tif 000004
【図４】
0005839540.tif 000005
【図５】
0005839540.tif 000006
【図６】
0005839540.tif 000007
【図７】
0005839540.tif 000008
【図８】
0005839540.tif 000009